(57)【要約】【課題】デジタルカメラ等の撮影機器を遠隔操作するための操作端末に表示される画像が好適に確認でき、タッチパネルを有しない操作端末においても遠隔操作による撮像を可能にした撮像装置を提供する。【解決手段】撮像機器（デジタルカメラ）１と、撮像機器１を遠隔操作する操作端末（スマートフォン）２を備え、撮像機器１は、操作端末２と無線接続される無線通信部１９と、無線通信部１９で受信した操作信号に基づいて撮像制御を行う撮像制御部１０を備え、操作端末２は、撮像機器１と無線接続される無線通信部２２と、当該操作端末に対する指示を画像または音声で取得して撮像操作を判定する操作判定部２５とを備える。操作端末２は、撮像機器１から送信されるモニター画像を表示装置２１に表示し、操作判定部２５での判定に基づいて操作信号を撮像機器１に送信する。撮像機器１は操作信号を受信して撮像制御部１０により撮像制御を行う。【選択図】  図２
2016063277.tif 000002
【特許請求の範囲】
【請求項１】
撮像機器と、当該撮像機器を遠隔操作する操作端末とで構成される撮像装置であって、前記撮像機器は、前記操作端末と無線接続される無線通信部と、前記無線通信部で受信した操作信号に基づいて撮像制御を行う撮像制御部を備え、前記操作端末は、前記撮像機器と無線接続される無線通信部と、当該操作端末に対する指示を画像または音声で取得して前記撮像機器に対する撮像操作を判定する操作判定部とを備え、前記操作端末は、前記撮像機器から送信されるモニター画像を受信して前記表示装置に表示し、かつ前記操作判定部での判定に基づいて操作信号を前記撮像機器に送信し、前記撮像機器は、撮像中のモニター画像を前記操作端末に送信し、前記操作端末から送信された操作信号を受信して前記撮像制御部により撮像制御を行うことを特徴とする撮像装置。
【請求項２】
前記操作端末は、カメラ機能部と、前記カメラ機能部で検出した撮影画像に基づいて前記撮像機器に対する撮像操作を判定する操作判定部とを備え、前記操作判定部での判定に基づいて操作信号を前記撮像機器に送信することを特徴とする請求項１に記載の撮像装置。
【請求項３】
前記判定部は、操作端末を保持している撮像者の手の動きに伴う撮影画像の変化を検出して操作を判定することを特徴とする請求項２に記載の撮像装置。
【請求項４】
前記判定部は、撮影画像に撮影された撮像者の手の移動方向、移動速度、手の形態変化、撮影画面の明暗変化に基づいて操作を判定することを特徴とする請求項３に記載の撮像装置。
【請求項５】
前記操作端末は、音声マイク機能部と、前記音声マイク機能部で検出した音声に基づいて前記撮像機器に対する撮像操作を判定する操作判定部とを備え、前記操作判定部での判定に基づいて操作信号を前記撮像機器に送信することを特徴とする請求項１に記載の撮像装置。
【請求項６】
前記撮像制御は、レリーズ操作、シャッター速度設定、絞り値設定、露出補正値設定、ズーム操作、フォーカス操作の少なくとも一つを含むことを特徴とする請求項１ないし５のいずれかに記載の撮像装置。
【請求項７】
前記撮像機器は、受信した操作信号に対応する撮像制御が不可の場合に、前記無線通信部から前記操作端末に向けて警告信号を送信し、前記操作端末はこの警告信号に基づく警告を前記表示装置に表示することを特徴とする請求項１ないし６のいずれかに記載の撮像装置。
【請求項８】
撮像機器と無線接続されて当該撮像機器を遠隔操作する操作端末であって、前記撮像機器と無線接続される無線通信部と、前記撮像機器から送信されたモニター画像を表示する表示装置と、カメラ機能部と、前記カメラ機能部で検出した撮影画像に基づいて前記撮像機器に対する撮像操作を判定する操作判定部とを備え、前記操作判定部での判定に基づいて操作信号を前記撮像機器に送信することを特徴とする操作端末。
【請求項９】
撮像機器と無線接続されて当該撮像機器を遠隔操作する操作端末であって、前記撮像機器と無線接続される無線通信部と、前記撮像機器から送信されたモニター画像を表示する表示装置と、音声マイク機能部と、前記音声マイク機能部で検出した音声に基づいて前記撮像機器に対する撮像操作を判定する操作判定部とを備え、前記操作判定部での判定に基づいて操作信号を前記撮像機器に送信することを特徴とする操作端末。
【請求項１０】
請求項９に記載の前記操作端末と無線接続される無線通信部と、前記操作端末から送信されて前記無線通信部で受信した操作信号に基づいて撮像制御を行う撮像制御部を備えることを特徴とする撮像機器。
【請求項１１】
前記撮像機器の前記無線通信部は当該撮像機器に内蔵され、あるいは着脱可能に構成されていることを特徴とする請求項１０に記載の撮像機器。
【請求項１２】
前記表示装置は、前記モニター画像を表示画面の全面に表示することを特徴とする請求項１０または１１に記載の撮像機器。
【発明の詳細な説明】
【技術分野】
【０００１】
本発明はデジタルカメラ等の撮像機器を、無線接続した操作端末により遠隔操作して撮像を行うようにした撮像装置に関し、特に操作端末で表示するモニター画像を好適に確認できるようにした撮像装置に関するものである。
【背景技術】
【０００２】
デジタルカメラ等の撮像機器を用いてセルフ撮像を行うような場合、あるいは動物や天体を被写体とした定点撮像を行うような場合には、撮影者が撮像機器を直接操作して撮像を行うことが難しく、当該撮像機器を遠隔操作することが必要とされる。このような要求に対応するために、特許文献１では、デジタルカメラと携帯端末とを無線接続し、携帯端末を操作することによってデジタルカメラでの撮像を行う技術が提案されている。また、この特許文献１では、デジタルカメラで撮像して表示するスルー画像等のモニター画像を携帯端末にまで伝送し、伝送したモニター画像を携帯端末の表示装置に表示し、撮像者はこの表示された画像を確認しながら携帯端末を操作することによりデジタルカメラの撮像を行うことを可能にした技術も提案されている。
【先行技術文献】
【特許文献】
【０００３】
【特許文献１】特開２０１２−１８６６９８号公報
【発明の概要】
【発明が解決しようとする課題】
【０００４】
特許文献１の技術は、携帯端末においてデジタルカメラを遠隔操作するために、当該携帯端末の表示装置をタッチパネルで構成し、表示装置に表示したズームキーやシャッターキー等の操作キー（ＧＵＩ：グラフィカル・ユーザ・インタフェース）を撮影者がタッチすることにより撮像を行う構成である。そのため、これらの操作キーによって表示装置における画像を表示するための面積に制限を受け、表示装置の一部が操作キーによって隠されて確認できなくなり、あるいは画像を縮小表示しなければならず、モニター画像の細部の確認ができなくなるという課題が生じる。また、特許文献１の技術は表示装置がタッチパネルでないと実現が困難であり、タッチパネルを有していない携帯端末、例えば携帯電話機を利用しての遠隔操作による撮像は困難である。
【０００５】
本発明の目的は、デジタルカメラ等の撮影機器を遠隔操作するための操作端末に表示される画像を好適に確認することを可能し、しかもタッチパネルを有しない操作端末においても遠隔操作による撮像を可能にした撮像装置を提供するものである。
【課題を解決するための手段】
【０００６】
本発明は、撮像機器と、当該撮像機器を遠隔操作する操作端末とで構成される撮像装置であって、撮像機器は、操作端末と無線接続される無線通信部と、無線通信部で受信した操作信号に基づいて撮像制御を行う撮像制御部を備え、操作端末は、撮像機器と無線接続される無線通信部と、当該操作端末に対する指示の画像または音声を取得して撮像機器に対する撮像操作を判定する操作判定部とを備える。その上で、操作端末は、撮像機器から送信されるモニター画像を受信して表示装置に表示し、かつ操作判定部での判定に基づいて操作信号を撮像機器に送信し、撮像機器は、撮像中のモニター画像を操作端末に送信し、操作端末から送信された操作信号を受信して撮像制御部での撮像制御を行うことを特徴とする。
【０００７】
本発明の好ましい形態として、操作端末は、カメラ機能部と、カメラ機能部で検出した撮影画像に基づいて撮像機器に対する撮像操作を判定する操作判定部とを備え、操作判定部での判定に基づいて操作信号を撮像機器に送信する構成とする。例えば、操作判定部は、操作端末を保持している撮像者の手の動きに伴う撮影画像の変化を検出して操作を判定する。例えば、操作判定部は、撮影画像に撮影された撮像者の手の移動方向、移動速度、手の形態変化、撮影画面の明暗変化に基づいて操作を判定する。
【０００８】
本発明の変形形態として、操作端末は、音声マイク機能部と、音声マイク機能部で検出した音声に基づいて撮像機器に対する撮像操作を判定する操作判定部とを備え、操作判定部での判定に基づいて操作信号を撮像機器に送信する構成とする。
【０００９】
本発明にかかる操作端末は、撮像機器と無線接続されて当該撮像機器を遠隔操作する操作端末であって、撮像機器と無線接続される無線通信部と、撮像機器から送信されたモニター画像を表示する表示装置と、カメラ機能部または音声マイク部と、これらカメラ機能部または音声マイク部で検出した撮影画像または音声に基づいて撮像機器に対する撮像操作を判定する操作判定部とを備え、操作判定部での判定に基づいて操作信号を撮像機器に送信することを特徴とする。
【００１０】
本発明にかかる撮像機器は、操作端末と無線接続され、当該操作端末により遠隔操作される撮像機器であって、操作端末と無線接続される無線通信部と、操作端末から送信されて無線通信部で受信した操作信号に基づいて撮像制御を行う撮像制御部を備えることを特徴とする。
【発明の効果】
【００１１】
本発明によれば、撮像機器から送信されてくるモニター画像を操作端末の表示装置の全面に表示し、表示装置に操作キー等を表示しなくても撮像機器を遠隔操作することができる。これにより、操作端末の表示装置に表示されたモニター画像を好適に確認することができる。また、操作端末のカメラ機能部や音声マイク部で検出した画像や音声に基づいて撮像機器を操作することができるので、タッチパネルを有しない操作端末にも本発明を適用することができる。
【図面の簡単な説明】
【００１２】
【図１】本発明の撮像装置をデジタルカメラに適用した実施形態の概念図。
【図２】デジタルカメラとスマートフォンの主要構成部を示すブロック構成図。
【図３】本発明の撮像装置の動作を説明するためのフロー図。
【図４】レリーズ操作を説明する概略図。
【図５】シャッター速度設定操作を説明する概略図とテーブル図。
【図６】絞り設定操作を説明する概略図とテーブル図。
【図７】露出補正設定操作を説明する概略図とテーブル図。
【図８】警告表示の外観図。
【発明を実施するための形態】
【００１３】
次に、本発明の実施の形態について図面を参照して説明する。図１は本発明をデジタルカメラに適用した実施形態の概念構成図である。デジタルカメラ１は本発明における撮像機器であり、後述する撮像レンズで結像した被写体像をＣＣＤあるいはＣＭＯＳ等の撮像素子で撮像し、その撮像中の画像、すなわちスルー画像をモニター画像としてモニター装置１１に表示する。このデジタルカメラ１は、操作端末、例えばスマートフォン２と無線接続されており、デジタルカメラ１で撮像中の前記モニター画像を無線信号でスマートフォン２に伝送し、当該スマートフォン２の表示装置２１に表示することが可能である。また、このスマートフォン２の所持者、すなわちデジタルカメラ１で撮像を行う撮像者は、当該スマートフォン２に設けられている後述するカメラ機能部を利用することにより、前記デジタルカメラ１における撮影操作の少なくとも一つを遠隔操作することが可能とされている。
【００１４】
図２は前記デジタルカメラ１とスマートフォン２の主要構成部を示すブロック構成図である。前記デジタルカメラ１は、撮像レンズ１２および撮像素子１３を備えるとともに、撮像素子１３で撮像した画像の画像信号を処理して所要の画像を得る画像信号処理部１４と、得られた撮像中の画像、すなわちスルー画像をモニター画像として表示する前記したモニター装置１１を備えている。なお、このモニター装置１１は本発明を実施する上で必ずしも必要とされるものではない。また、前記デジタルカメラ１は撮影にかかわる各種動作を行う手段として、ここでは、レリーズ動作を実行するレリーズ部１５と、シャッター速度を設定するシャッター速度設定部１６と、絞り値を設定する絞り値設定部１７と、露出補正値を設定する露出補正値設定部１８を備えている。
【００１５】
さらに、前記デジタルカメラは無線通信部１９を備えており、前記スマートフォン２と無線接続し、当該スマートフォンとの間で各種信号を送受することが可能とされている。さらに、この無線通信部１９において受信したスマートフォン２からの後述する操作信号に基づいて前記レリーズ部１５、シャッター速度設定部１６、絞り値設定部１７、露出補正値設定部１８を動作し、デジタルカメラ１におけるレリーズ操作、シャッター速度、絞り値、露出補正値の設定を行うための撮像制御部１０が設けられている。他方、前記無線通信部１９は、前記画像信号処理部１４で得られたモニター画像の画像信号を前記スマートフォン２に向けて送信することが可能とされている。
【００１６】
前記スマートフォン２は、既存のスマートフォンの機能を備えており、この機能の具体的な構成についての説明は省略する。このスマートフォン２は、前記デジタルカメラ１の無線通信部との間で前記した信号を送受する無線通信部２２を備えている。この無線通信部２２は既存のスマートフォンに備えられている電話通信部を利用することも可能である。また、このスマートフォン２は既存のカメラ機能部２３を備えており、スマートフォン２の前方領域、すなわち表示装置と反対側の面側を撮像することが可能とされている。さらに、このスマートフォン２は、前記カメラ機能部２３で撮像した画像を信号処理する画像信号処理部２４と、処理された画像を所定のアルゴリズムで解析して、該当する撮像操作を判定する撮像操作判定部２５と、この判定結果に基づいて前記デジタルカメラ１での撮像を行うための撮像操作、すなわちレリーズ操作、シャッター速度設定操作、絞り値設定操作、露出補正値設定操作を行うための信号を作成する操作信号作成部２６を備えている。そして、この操作信号作成部２６で作成された操作信号は自身の無線通信部２２により前記デジタルカメラ１の無線通信部１９に送信することが可能とされている。
【００１７】
このようなデジタルカメラ１とスマートフォン２とを備えることにより、例えば、図１に示したようにデジタルカメラ１で定点撮影を行う場合には、当該デジタルカメラ１を三脚３に固定し、所定の撮影画角に設定する。また、撮像者はデジタルカメラ１から離れた位置に待機し、操作端末としてのスマートフォン２を所持する。その上で、図３にデジタルカメラ１とスマートフォン２の相互動作のフロー図を示すように、撮像者はデジタルカメラ１を遠隔撮影モードに設定し、デジタルカメラ１とスマートフォン２を無線接続する（Ｓ１１）。この無線接続により、デジタルカメラ１で撮像され、かつ画像信号処理部１４で処理されたモニター画像は無線通信部１９から送信される（Ｓ１２）。スマートフォンではモニター画像を受信し、受信したモニター画像を表示装置２１に表示する（Ｓ１３）。これにより、スマートフォン１の表示装置２１でデジタルカメラ１のモニター画像を確認することが可能になる。このとき、デジタルカメラ１ではモニター装置１１にモニター画像を表示しないように設定しておいてもよい。
【００１８】
そして、撮像者はこのスマートフォン２の表示装置２１に表示されたモニター画像を確認しながら、スマートフォン２のカメラ機能部２３を起動する（Ｓ１４）。そして、撮像者は片手でスマートフォン２を保持し、表示装置２１に表示されたモニター画像を確認し、デジタルカメラ１に対する撮像操作を実行する際には、他方の手をスマートフォン２の前側にかざしてカメラ機能部２３で撮像する（Ｓ１５）。カメラ機能部２３で撮像された画像は画像信号処理部２４で処理され、撮像操作判定部２５において当該画像に対応する撮像操作が判定される（Ｓ１６）。このとき、カメラ機能部２３で撮像された画像は表示装置２１に表示されることはない。そして、操作信号作成部２６は判定された撮像操作に対応する操作信号を無線通信部２２によりデジタルカメラ１に送信する（Ｓ１７）。デジタルカメラ１は無線通信部１９において当該操作信号を受信し（Ｓ１８）、撮像制御部１０は受信した操作信号に基づいてデジタルカメラ１に対する設定を実行し、かつ撮像を実行する（Ｓ２０）。このとき、ステップＳ１９において撮像操作が可能であるか否かの判定を行うが、これについては後述する。
【００１９】
前記ステップＳ１６における撮像操作の判定においては、例えば、図４（ａ）に示すように、撮像者がスマートフォン１の前側において他方の手ｆの１本の指を立てた状態とすると、スマートフォン１のカメラ機能部２３はこれを撮像し、撮像操作判定部２５はこの画像からレリーズ操作の指令状態であると判定する。そして、図４（ｂ）に示すように、撮像者が当該手ｆの人指し指を曲げると、撮像操作判定部２５はレリーズ操作が実行されたと判定し、対応する信号を操作信号作成部２６に出力する。これを受けて操作信号作成部２６はレリーズ信号を作成し、無線通信部２２によりデジタルカメラ１に向けて送信する。デジタルカメラ１では、無線通信部１９においてレリーズ信号を受信すると、撮像制御部１０によりレリーズ部１５が駆動され、デジタルカメラ１におけるレリーズ操作が実行される。これにより、デジタルカメラ１における撮像が実行される。
【００２０】
また、図５（ａ）に示すように、他方の手ｆでスマートフォン２のカメラ機能部２３のレンズを覆うようにすると、撮像操作判定部２５はシャッター速度の設定状態であると判定する。撮像者は、この他方の手ｆでレンズを覆う時間を変化させると、この覆っている時間の違いにより撮像操作判定部２５はシャッター速度を判定し、判定したシャッター速度を操作信号作成部２６に出力する。例えば、図５（ｂ）のように、カメラ機能部２３が覆われている時間とシャッター速度とのテーブルを作成しておき、当該時間を検出することによりシャッター速度を判定する。これを受けて、操作信号作成部２６は対応するシャッター速度設定信号を作成し、無線通信部２２によりデジタルカメラ１に向けて送信する。デジタルカメラ１では、無線通信部１９においてシャッター速度設定信号を受信すると、撮像制御部１０によってシャッター速度設定部１６が駆動され、デジタルカメラ１におけるシャッター速度の設定が実行される。
【００２１】
あるいは、図６（ａ）に示すように、スマートフォン２の前側において他方の手ｆを左右方向に横断するように移動させると、撮像操作判定部２５は絞り値の設定状態であると判定する。撮像者は、このときの横断方向の移動速度を変化させると、この速度の違いにより撮像操作判定部２５は絞り値を判定し、判定結果を操作信号作成部に出力する。これを受けて操作信号作成部２６は絞り値設定信号を作成し、無線通信部２２によりデジタルカメラ１に向けて送信する。例えば、図６（ｂ）のように、横断時の時間に対応して設定したテーブルに基づいて絞り値を低減する。デジタルカメラ１では、無線通信部１９において絞り値設定信号を受信すると、撮像制御部１０により絞り値設定部１７が駆動され、デジタルカメラ１における絞り値の設定が実行される。
【００２２】
さらに、図７（ａ）に示すように、スマートフォン２の前側において他方の手ｆを上下方向に縦断するように移動させると、撮像操作判定部２５は露出補正値の設定状態であると判定する。撮像者は、このときの縦断方向と速度を変化させると、この方向と速度の違いにより撮像操作判定部２５は露出補正値を判定し、判定結果を操作信号作成部２６に出力する。これを受けて操作信号作成部２６は露出補正値設定信号を作成し、無線通信部２２によりデジタルカメラ１に向けて送信する。例えば、図７（ｂ）のように、移動方向と移動時間に対応して設定したテーブルに基づき、下から上に移動したときには露出補正値を増加させ、上から下に移動したときには露出補正値を低減する。また、そのときの移動速度に対応して露出補正値の絶対値を変化設定する。デジタルカメラ１では、無線通信部１９において露出補正値設定信号を受信すると、撮像制御部１０により露出補正値設定部１８が駆動され、デジタルカメラ１における露出補正値の設定が実行される。
【００２３】
このように、スマートフォン２の表示装置２１に表示されたモニター画像を確認しながら、撮像者は片方の手をスマートフォン２の前側において予め設定されている形態とし、あるいは移動させることにより、スマートフォン２では自身のカメラ機能部２３でこれを撮影し、当該片方の手の形態ないしその変化から撮像者が意図する撮像操作を判定し、これに対応する操作信号を作成してデジタルカメラ１に向けて送信することが可能である。したがって、スマートフォン２の表示装置２１に撮像操作のための操作キーを表示する必要がなく、表示装置２１の全面においてモニター画像を表示することができる。これにより、表示装置２１に操作キー等を表示することによってモニター画像の一部が表示されなくなることもなく、好適な表示が実現できる。また、表示装置２１に、操作キー等と干渉しないようにモニター画像を縮小表示する必要もなく、画像の細部まで確認することが可能な好適な表示が実現できる。
【００２４】
また、撮像者による撮像操作は、表示装置２１に表示した操作キー等にタッチする方式ではなく、スマートフォン２が備えているカメラ機能部２３での撮影および撮影した画像の形態を判定することによって行っているので、表示装置２１がタッチパネルとして構成されていない携帯電話機を操作端末として利用する場合でも同様な効果が実現できる。この場合、携帯電話機のキーボタンを利用する必要もなく、携帯電話機の入力インタフェース回路や入力処理ソフトが複雑化することはない。
【００２５】
ここで、スマートフォン２の無線通信部２２からレリーズ信号、シャッター速度設定信号、絞り値設定信号、露出補正値設定信号等の撮像操作信号を送信したときに、当該信号がデジタルカメラ１の無線通信部１９において受信されていないことをスマートフォン２において検出したときには、スマートフォンでは図８に示すように表示装置２１に警告Ｘを表示するようにする。これにより、撮像者は、意図した撮像操作がデジタルカメラ１において実行されない状況にあることが認識でき、不適切な撮像を未然に防止することができる。なお、デジタルカメラ１において撮像操作信号が受信されていないことは、スマートフォン２とデジタルカメラ１の両無線通信部２２，１９のシステムを確認応答方式に設定することで容易に実現できる。
【００２６】
また、図３のフロー図のステップＳ１９において、デジタルカメラ１がスマートフォン２から送信されてきた撮像操作信号では好適な撮像が難しいと判定したとき、あるいは撮像が不可能であると判定したときには、デジタルカメラ１からスマートフォン２に向けて警告を送信するようにしてもよい（Ｓ２１）。例えば、スマートフォン２から送信されてきたシャッター速度設定信号に基づいてシャッター速度を設定したときには露出不足となるような場合に、無線通信部１９を介して警告信号を送信する。スマートフォン２では、この警告信号を受信したときに、図８に示したように表示装置２１に警告Ｘを表示する。これにより、撮像者は撮像操作を適切なものに修正し、あるいは撮像を未然に停止することが可能になる。
【００２７】
本発明にかかる撮像操作としては、前記したレリーズ操作、シャッター速度設定、絞り値設定、露出補正値設定に限られるものではなく、他の撮像操作への適用も可能である。例えば、ズーム操作やフォーカス操作であってもよい。
【００２８】
また、各撮像操作を判定するための形態、すなわちスマートフォンの前側で片手を移動させて撮像操作を判定する際の形態は実施形態に記載の形態に限られるものではなく、種々の形態を採用することが可能である。例えば、各種設定を行う場合には、撮像者の手元に予め設定値に対応するバーコードやＱＲコード（登録商標）からなるコード表を用意しておき、このコード表をカメラ機能部において撮影することにより撮像操作を判定するようにしてもよい。
【００２９】
さらに、実施形態としての説明は省略したが、スマートフォンや携帯電話機が有する音声マイク機能部を利用し、撮像者が発声する音声で撮像操作を判定するようにしてもよい。すなわち、スマートフォンに、音声検出部と音声解析部を備えておき、検出した音声を解析することにより撮像操作判定部において撮像操作を判定するようにする。例えば、撮像者が「シャッター速度、増」と発声すれば、スマートフォンの音声マイク機能部が当該音声を検出し、この音声を解析することにより撮像操作判定部は、シャッター速度を増加する操作信号を作成して無線通信部によりデジタルカメラに向けて送信する。これによりデジタルカメラでは、シャッター速度を増加する設定を実行することは言うまでもない。この場合においても音声検出部および音声解析部において検出した音声は表示装置に表示されている画像と関係することはない。
【００３０】
なお、実施形態においてデジタルカメラ１に設けられている無線通信部１９や撮像制御部１０は、デジタルカメラ１に内蔵させてもよいが、既存のデジタルカメラ１に対して着脱可能なモジュールあるいはカードとして構成してもよい。同様に、スマートフォン２における撮像操作判定部２５や操作信号作成部２６についても、既存のスマートフォン２に着脱可能なモジュールあるいはカードとして構成してもよい。
【００３１】
実施形態では、本発明にかかる撮像機器としてデジタルカメラに適用した例を示したが、デジタルビデオカメラであってもよい。また、操作端末としてスマートフォンの例を示したが、携帯電話機や携帯タブレット等のいわゆる携帯無線端末であってもよい。
【産業上の利用可能性】
【００３２】
本発明は無線接続した操作端末において撮像機器を操作する構成の撮像装置に採用して有効である。
【符号の説明】
【００３３】
１  デジタルカメラ（撮像機器）
２  スマートフォン（操作端末）
３  三脚
１０  撮像制御部
１１  モニター装置
１２  レンズ
１３  撮像素子
１４  画像処理部
１５  レリーズ部
１６  シャッター速度設定部
１７  絞り値設定部
１８  露出補正値設定部
１９  無線通信部
２１  表示装置
２２  無線通信部
２３  カメラ機能部
２４  画像処理部
２５  撮像操作判定部
２６  操作信号作成部
【図１】
2016063277.tif 000003
【図２】
2016063277.tif 000004
【図３】
2016063277.tif 000005
【図４】
2016063277.tif 000006
【図５】
2016063277.tif 000007
【図６】
2016063277.tif 000008
【図７】
2016063277.tif 000009
【図８】
2016063277.tif 000010